(57)【特許請求の範囲】
【請求項１】
肩パッド本体のアームホール対応部及び肩縫い目対応部に、身頃及び袖の縫い代に沿って衣服に取り付けるためのアームホール対応部補助材及び肩縫い目対応部補助材を有することを特徴とする肩パッド。
【請求項２】
アームホール対応部補助材及び肩縫い目対応部補助材が接着性を有することを特徴とする請求項１に記載の肩パッド。
【発明の詳細な説明】
【０００１】
【発明の属する技術分野】
この出願発明は、衣服の肩パッド及びその取付方法に関する。
【０００２】
【従来の技術】
従来、肩パッドは、多種類の立体形状のものが使用されており、これらの肩パッドを、身頃の袖ぐり等に合わせて取り付けるには高度な技術が必要であり、左右の肩パッドを同じ位置に取り付けるには、かなりの熟練が必要であった。また、アームホールの一部及び肩縫い目の一部と接合するための補助剤を有する肩パッドも提案されているが、この提案では、肩パッドのアームホール部へのとじ付けは、とじ糸が肩パッドの最厚部分を貫通する状態でとじられるため、肩パッドの厚みの減少や、袖付け線等の表面に凹凸等の影響が出たり、また、肩縫い目へのとじ付けでは、肩パッドの弧状周縁の一部しかとじられないため、肩パッドが安定しないなどの問題があった。
【０００３】
【発明が解決しようとする課題】
この出願発明は、肩パッドを取り付ける際のこのような問題を解消し、取り付け作業性に優れ、しかも、美しい肩のラインを作製できる肩パッドを提供することを目的とする。
【０００４】
【課題を解決するための手段】
この出願発明者等は、肩パッドを身頃の袖ぐり等に取り付けるための取り付け作業性のよい肩パッドについていろいろ検討した結果、肩パッド本体のアームホール対応部及び肩縫い目対応部に、身頃及び袖の縫い代に沿って衣服に取り付けるためのアームホール対応部補助材及び肩縫い目対応部補助材を有する肩パッドを用いることによりこれらの問題を解決した。
【０００５】
この出願発明の肩パッドは、肩パッド本体のアームホール対応部及び肩縫い目対応部に取り付けるためのアームホール対応部補助材及び肩縫い目対応部補助材を止め付けたものであり、この補助材を利用することにより、簡単に肩パッドを身頃及び袖に取り付けることができるものである。
【０００６】
肩パッドは、従来使用されているものが使用されるが、主として繊維ウェブをニードルパンチ、水流絡合等で絡合させたフェルト状不織布が好ましく、熱融着繊維を含むことにより繊維抜けのない、ソフトで保温性のあるものがとくに好ましい。
肩パッドの形状には、セットインタイプ、ラグランタイプ、セミラグランタイプなどあり、特に限定されるものではない。
【０００７】
肩パッドに止め付ける補助材は、肩パッド本体の天井部の一部又は全部を覆うものがあるが、肩パッドのアームホール対応部、肩縫い目対応部等に取り付けることが可能であれば、どのような形状、大きさのものでもよい。
補助材の形状としては、短冊状のものが好ましく、長さも特に限定するものではなく、肩パッド本体の幅と同等か、より小さいものがとくに好ましい。
補助材が短冊状の場合は、袖付け線あるいは肩縫い線と直角な方向には変形しにくく、平行な方向には伸縮性があり、天井部に対して融通性のあるものが好ましく、例えば、その幅は１０〜５０ｍｍが好ましく、特に、１５〜２５ｍｍが好ましい。なお、接着剤の付いた補助材により、動きを止めるときはより広くてもよい。
その厚みは、薄いもの、とくに、薄い不織布が好ましく、１ｍｍ以下がとくに好ましい。
【０００８】
肩パッド本体の天井部全体をほぼ覆って止め付けたアームホール対応部補助材の場合には、少なくとも、袖側の袖付け線の位置から５〜４５ｍｍ、より好ましくは１５〜３５ｍｍの幅の袖側端部が開放されておればよく、その他の部分は部分的あるいは全体的に接着あるいは縫合されていればよい。
このように補助材の開放された端部を利用することにより、肩パッドを身頃又は袖の袖付け線に簡単に取り付けることができる。また、肩パッドが先に身頃に取り付けてあっても、袖の取付が可能である。
【０００９】
補助材の素材は、ポリエステル、ナイロン、レーヨン等の繊維からなる不織布、糸で補強した不織布、キャラコ、スレキ等の織物、編物が好ましく、特に限定されないが、作業性、取付後の肩パッドの仕上がり等を考慮すると、例えば、繊維ウェブの間に糸を一定間隔で一方向に並べた不織布が好ましく、薄手の不織布であれば、ほつれないので好ましい。
また、バイアス織布もほつれたり、丸まることがあるが、使用される。
補助材の片面に少量の熱融着性樹脂がドット状、線状等により付着していれば、補助材を身頃に縫合した後、スチームプレス等で仕上げると補助材の全面が肩パッドと一体化し、安定して美しく取り付けることができるのでより好ましい。
アームホールを有する身頃とアームホールに対応する袖とからなるセットインスリーブの場合には、身頃の袖ぐりにこの肩パッドを取り付けた後でも、袖付けが可能となる。また、身頃と袖山の部分が肩部から襟刳りまで続いている袖とからなるラグランスリーブあるいはドルマンスリーブの場合には、肩パッドを取り付けた後でも身頃を取り付けることが可能である。
【００１０】
アームホール対応部補助材及び肩縫い目対応部補助材の肩パッドへの止め付けは、肩パッドの製作時に、予め天井材アームホール対応部及び肩縫い目対応部にミシンで行い、主として本縫いミシンなどにより、糸で縫合すればよい。なお、肩パッドの製作後の成型加工を施さない場合は、補助材に付着させた接着剤等により止め付けることもできる。
また、成型加工を施す肩パッドの場合は、接着剤を付着したアームホール対応部補助材及び肩縫い目対応部補助材は、肩パッドを作製した後に取り付ける。
【００１１】
肩パッド本体にアームホール対応部補助材及び肩縫い目対応部補助材を止め付けるには、肩パッド本体のアームホール対応部及び肩縫い目対応部に補助材を重ね、袖側を開放した状態で、首側をミシンにより止め付ける。このようにしてアームホール対応部補助材及び肩縫い目対応部補助材を有する肩パッドを作製する。
補助材は、肩パッドを潰さないように緩く縫いつけることが好ましいが、特殊なミシン、例えば、ジャンピングミシン等により取り付けることが好ましい。
【００１２】
補助材の止め付ける位置を調整することにより、衣服の形状による肩パッドの張り出し位置を変えることができる。
例えば、肩パッドを袖側に強く張り出したい場合は、アームホール対応部補助材３を肩パッドの袖側端部より内側、すなわち、首側位置に止め付けることにより行うことができる。
また、肩パッドの端の袖付け線と一致させる場合には、アームホール対応部補助材３を肩パッドの袖側の端部の位置に設定して止め付けることにより行うことができる。
ジャンピングミシン等による止め付け糸の位置は、補助材の首側端部に沿わせて、約５ｍｍ内側が好ましい。
【００１３】
この出願発明の肩パッド１の取り付け方法は、セットインスリーブの場合は、肩パッドを身頃のアームホール対応部の位置にセットし、アームホールの縫い代にアームホール対応部補助材３のみを止め付ける。
また、肩縫い目にとじを入れる場合は、肩縫い代に肩縫い目対応部補助材４のみを止め付ける。
ラグランスリーブとドルマンスリーブの場合は、袖中央縫い目の所定の位置の縫い代に補助材のみを止め付ける。
取り付けは、肩パッド本体２に止め付けたアームホール対応部補助材３を身頃の袖ぐり部１１に縫合または接合することにより行うことが好ましい。
取り付けは、本縫いミシンで縫合することが好ましいが、接着剤の付与された補助材等により接合することもでき、このような縫合と接合の両者を併用することもできる。
接着剤は、熱融着性接着剤が好ましく、感圧接着剤も使用される。
【００１４】
肩パッドを接合により身頃に取り付ける場合には、予め粉末、繊維等の熱融着性樹脂を含む補助材を使用してもよいし、接着剤を補助材に塗布したものを使用してもよく、あるいは接着テープを補助材と身頃の袖ぐりとの間に挟んでもよい。
熱融着性の樹脂としては、ポリエチレン、ポリアミド、ポリエステル、ポリ塩化ビニルなどの熱融着性低融点樹脂の粉末、ポリエステル／ポリプロピレンなどの芯鞘型複合繊維などが使用される。
【００１５】
【実施例】
実施例１
フェルト地として、ポリエステル繊維のウェブからなるニードルパンチフェルトを、形状の相似した半月形に裁断した大小のものを重ねて接合し、肩パッド本体を作製する。ポリエステル繊維ウェブに５ｍｍ間隔で、糸を一方向に並べ、アクリル系バインダーで結合した目付４０ｇ／ｍ２の不織布の片面に、熱融着性変性ポリアミド樹脂をドット状に１０ｇ／ｍ２塗布して得た熱融着性不織布を、糸を並べた方向を幅方向（短辺）として、４０ｍｍ×１５０ｍｍの短冊状に裁断して補助材を作製した。
この短冊状の補助材３を肩パッド本体２のアームホール対応部における袖側に合わせるように重ね、袖側から３０ｍｍ入った位置で長辺に沿ってこの補助材３を肩パッド本体にジャンビングミシンを用いて止め付け糸５で縫合する。同様に別の短冊状の補助材４を肩縫い目対応部にも止め付け糸５で縫合して、図１のようなアームホール対応部補助材３及び肩縫い目対応部補助材４を有する肩パッド１を作製した。
つぎに、この補助材３、４を有する肩パッド１を、身頃の袖ぐり部１１に取り付けるには、先ず、肩パッド１を裏返しにして肩縫い目対応部補助材４と肩縫い目の縫い代とを縫合した後、さらに身頃の袖ぐり部１１の袖付け線６にアームホール対応部補助材３の袖側端部を合わせ、身頃の袖ぐり部１１の縫い代とアームホール対応部補助材３とを、本縫いミシンによりとじ糸９で縫合して一体化し、元の状態に戻すことにより、図６のように肩パッド１を補助材を介して表身頃の肩部１０に縫着した。これをアイロンで仕上げた。
この肩パッドの取り付けは、簡単にしかも無理なく作業ができ、しかも、美しい肩まわりが得られた。
【００１６】
参考例１
フェルト地として、ポリエステル繊維のウェブからなるニードルパンチフェルトを、相似形の大小のハート型に裁断したものを重ね合わせてハート型に接合し、肩パッド本体を作製する。ポリエステル繊維ウェブに５ｍｍ間隔で、糸を一方向に並べ、アクリル系バインダーで結合した目付４０ｇ／ｍ２の不織布の片面に、熱融着性変性ポリアミド樹脂をドット状に１０ｇ／ｍ２塗布して得た熱融着性不織布を、糸を並べた方向を幅方向（短辺）として、４０ｍｍ×１５０ｍｍの短冊状に裁断して補助材を作製した。
この短冊状の補助材を肩パッド本体の肩縫い目対応部における肩線に合わせるように肩縫い目対応部を重ね、肩パッド本体２にジャンピングミシンを用いて止め付け糸５で縫合して、図４のような肩縫い目対応部に補助材４を有する肩パッド１を作製した。
つぎに、この肩縫い目対応部補助材４を有する肩パッド１を、身頃の肩縫い目に取り付けるには、先ず、肩パッド１を裏返しにして肩縫い目の縫い代に補助材４の肩縫い目対応部を合わせて本縫いミシンによりとじ糸９で縫合し、身頃と肩縫い目対応部補助材４とを一体化した後、元の状態に戻すことにより、図７のように肩パッド１を補助材を介して身頃の肩部１０に縫着した。これをアイロンで仕上げた。
この肩パッドの取り付けは、簡単にしかも無理なく作業ができ、しかも、美しい肩まわりが得られた。
【００１７】
【発明の効果】
この出願発明の肩パッドは、肩パッドが所定の位置に安定してとじることができるので、パッドの取り付け位置を前もって設定できる。
また、誰にでも簡単に、早くとじられるので、これまでのように経験や熟練に頼る必要がなくなる。
パッドとじが本縫いミシンでできるので、パッドとじミシンのような特殊ミシンが不要になり、厚さのつぶれがなく、外回り分のゆとりをとることができる。
肩の縫い代にも容易にとじることができるので、肩パッドが安定する。また、補助材を接着タイプにすることにより接着によるとじも可能である。
この肩パッドは、設計通りの位置に容易に取り付けることができるので、意図した肩や袖のシルエットを出すことができる。
この肩パッドは、とじによる厚さの減少がなくなるため、設計通りの肩パッドの厚さが維持できる。また、部分的な厚さの減少がなく、外回り分のゆとりを確実に取れるので、袖付け線等の表面に凹凸等のとじによる影響が出ないし、また、取り付けた後に裏返しても皺がでない
この出願発明の肩パッドは、セットインスリーブ、ラグランスリーブ、ドルマンスリーブのいずれにも対応することができる。
【図面の簡単な説明】
【図１】この出願発明の補助材を有する肩パッドの平面図
【図２】補助材を有する参考例の肩パッドの平面図
【図３】補助材を有する参考例の他の肩パッドの平面図
【図４】補助材を有する参考例の他の肩パッドの平面図
【図５】この出願発明の補助材を有する肩パッドの断面図
【図６】この出願発明の補助材により取り付けた肩パッドを有する衣服
【図７】参考例の補助材により取り付けた肩パッドを有する衣服
【図１】
0003594727.tif 000002
【図２】
0003594727.tif 000003
【図３】
0003594727.tif 000004
【図４】
0003594727.tif 000005
【図５】
0003594727.tif 000006
【図６】
0003594727.tif 000007
【図７】
0003594727.tif 000008